(57)【要約】【課題】正面パネルと背面パネルと左右の側面パネルの各側辺が互いに連結された周壁パネルの上面開口部に連結具を介して天面パネルが着脱自在に取り付けられたペット用サークルにおいて、天面パネルが外れ難く、使い勝手のよいペット用サークルを提供する。【解決手段】各パネルは、線状部材により格子状に形成されるとともに、周壁パネル２に取付用横桟２１が設けられ、連結具は可撓性素材で一体成形され、取付用横桟２１と天面パネル３の端縁をそれぞれ連結する横桟連結具４と、周壁パネル２の隅部と天面パネル３の隅部をそれぞれ連結する隅部連結具４とから構成され、、横桟連結具４により周壁パネル２の少なくとも相対向するパネルと天面パネル３とが着脱自在に連結されるとともに、隅部連結具５により周壁パネル２の四隅と天面パネル３の四隅とが着脱自在に連結される。【選択図】  図１
2008104397.tif 000002
【特許請求の範囲】
【請求項１】
正面パネルと背面パネルと左右の側面パネルの各側辺が互いに連結された周壁パネルの上面開口部に連結具を介して天面パネルが着脱自在に取り付けられたペット用サークルであって、
前記各パネルは、線状部材により格子状に形成されるとともに、周壁パネルの水平方向の線状部材と平行な取付用横桟が少なくとも相対向する周壁パネルの上部に設けられ、
前記連結具は可撓性素材で一体成形され、周壁パネルの取付用横桟と天面パネルの端縁をそれぞれ連結する横桟連結具と、周壁パネルの隅部と天面パネルの隅部をそれぞれ連結する隅部連結具とから構成され、
前記横桟連結具は、水平板と鉛直板とがそれぞれの基端縁で接続された側面逆Ｌ字形状の基部と、水平板の先端縁に形成された第１フック部と、鉛直板の先端縁に形成された第２フック部と、水平板と鉛直板の接続部分から鉛直板方向に傾斜して延設された把持部とからなり、
前記隅部連結具は、周壁パネルの隅部に対応して下向きに開口された第１溝が形成された周壁嵌合部と、この周壁嵌合部に並設され、天面パネルの隅部に対応して上向きに開口された第２溝が形成された天面嵌合部とを備え、第１溝および第２溝の内側面には、周壁パネルの隅部および天面パネルの隅部を構成する線状部材をそれぞれ係止する係止爪が突設されているものであって、
前記横桟連結具により周壁パネルの少なくとも相対向するパネルと天面パネルとが着脱自在に連結されるとともに、隅部連結具により周壁パネルの四隅と天面パネルの四隅とが着脱自在に連結されることを特徴とするペット用サークル。
【発明の詳細な説明】
【技術分野】
【０００１】
本発明は、内部に犬や猫などのペットを入れるペット用サークルに関する。
【背景技術】
【０００２】
ペット用サークルは、複数のパネルを連結し、これらのパネルで囲まれた内部にペットを収容するものであって、近年のペットブームに伴い、種々のペット用サークルやペット用ケージが提供されている。
【０００３】
なかでも、内部に収容したペット（特に犬）の飛び出しを防止するため、天面パネルによって上部開口を閉鎖したペット用サークルが提供されている。
【０００４】
例えば特許文献１には、正面パネルと背面パネルと左右の側面パネルの各側辺が互いに連結された周壁パネルの上面開口部に連結具（サイド連結具およびコーナー連結具）を介して天面パネルが着脱自在に取り付けられたペット飼育用ケージが開示されている。
【特許文献１】登録実用新案第３０５３２２７号公報
【発明の開示】
【発明が解決しようとする課題】
【０００５】
しかしながら、上記したペット飼育用ケージでは、サイド連結具が３列突片間によってそれぞれ挟まれた２列の係合溝部を備えた側面略Ｅ字型の部材で形成されており、天面パネルの上方から下方向へ回動させることにより天面パネルが側壁部に取り付けられるとともに、天面パネルの下方から上方向へ回動させることにより天面パネルが側壁部から取り外されるように構成されている。
【０００６】
このため例えば、ペット飼育用ケージの内部で犬が暴れた場合には、サイド連結具が天面パネルの下方から上方向へ押し上げられ、天面パネルが外れるおそれがあるといった問題が生じる。
【０００７】
また、上記したペット飼育用ケージでは、周壁パネルの隅部に取り付けられたコーナー連結具に天面パネルの隅部が単に載置されているだけであるため、天面パネルが外れやすいといった問題があった。
【０００８】
本発明は、このような事情に鑑み創案されたもので、正面パネルと背面パネルと左右の側面パネルの各側辺が互いに連結された周壁パネルの上面開口部に連結具を介して天面パネルが着脱自在に取り付けられたペット用サークルにおいて、天面パネルが外れ難く、使い勝手のよいペット用サークルを提供するものである。
【課題を解決するための手段】
【０００９】
上記の目的を達成するため、本発明は、正面パネルと背面パネルと左右の側面パネルの各側辺が互いに連結された周壁パネルの上面開口部に連結具を介して天面パネルが着脱自在に取り付けられたペット用サークルであって、前記各パネルは、線状部材により格子状に形成されるとともに、周壁パネルの水平方向の線状部材と平行な取付用横桟が少なくとも相対向する周壁パネルの上部に設けられ、前記連結具は可撓性素材で一体成形され、周壁パネルの取付用横桟と天面パネルの端縁をそれぞれ連結する横桟連結具と、周壁パネルの隅部と天面パネルの隅部をそれぞれ連結する隅部連結具とから構成され、前記横桟連結具は、水平板と鉛直板とがそれぞれの基端縁で接続された側面逆Ｌ字形状の基部と、水平板の先端縁に形成された第１フック部と、鉛直板の先端縁に形成された第２フック部と、水平板と鉛直板の接続部分から鉛直板方向に傾斜して延設された把持部とからなり、前記隅部連結具は、周壁パネルの隅部に対応して下向きに開口された第１溝が形成された周壁嵌合部と、この周壁嵌合部に並設され、天面パネルの隅部に対応して上向きに開口された第２溝が形成された天面嵌合部とを備え、第１溝および第２溝の内側面には、周壁パネルの隅部および天面パネルの隅部を構成する線状部材をそれぞれ係止する係止爪が突設されているものであって、前記横桟連結具により周壁パネルの少なくとも相対向するパネルと天面パネルとが着脱自在に連結されるとともに、隅部連結具により周壁パネルの四隅と天面パネルの四隅とが着脱自在に連結されることを特徴とする。
【００１０】
この発明によれば、周壁パネルの上部に取付用横桟が設けられており、横桟連結具が、水平板と鉛直板とがそれぞれの基端縁で接続された側面逆Ｌ字形状の基部と、水平板の先端縁に形成された第１フック部と、鉛直板の先端縁に形成された第２フック部と、水平板と鉛直板の接続部分から鉛直板方向に傾斜して延設された把持部とから構成されているので、第１フック部に天面パネルの端縁を構成する線状部材が嵌め込まれるとともに、第２フック部に周壁パネルの取付用横桟が嵌め込まれることにより周壁パネルに天面パネルが取り付けられる。したがって、取付用横桟と天面パネルの端縁とを確実に連結することができる。
【００１１】
また、横桟連結具の把持部を引き上げることにより第２フック部から周壁パネルの取付用横桟が抜脱され、周壁パネルから天面パネルが取り外されるので、簡単に天面パネルを取り外すことができる。したがって、例えばペット用サークル内に設置したトイレのシーツを交換したり、サークル内を清掃するときに作業が容易で使い勝手がよい。
【００１２】
さらに、把持部は水平板と鉛直板の接続部分から鉛直板方向に傾斜して延設されているので、ペット用サークルの内部に収容されたペットが暴れた場合であっても、把持部が引き上げられることがなく、天面パネルが不測に外れるおそれがない。
【００１３】
さらにまた、横桟連結具は、可撓性素材で一体成形されているので、第１フック部および第２フック部に線状部材を容易に嵌め込むことができるとともに、線状部材を横桟連結具から抜脱させるのも容易である。
【００１４】
加えて、隅部連結具の第１溝および第２溝の内側面に、周壁パネルの隅部および天面パネルの隅部を構成する線状部材をそれぞれ係止する係止爪が突設されているので、周壁パネルの隅部および天面パネルの隅部を構成する線状部材がそれぞれ隅部連結具の周壁嵌合部および天面嵌合部に確実に嵌め込まれる。したがって、天面パネルを周壁パネルに確実に連結することができる。
【００１５】
また、隅部連結具は、可撓性素材で一体成形されているので、係止爪により線状部材が容易に係止されるとともに、線状部材を隅部連結具から抜脱させるのも容易である。
【発明の効果】
【００１６】
本発明によれば、正面パネルと背面パネルと左右の側面パネルの各側辺が互いに連結された周壁パネルの上面開口部に連結具を介して天面パネルが着脱自在に取り付けられたペット用サークルにおいて、天面パネルが外れ難く、使い勝手のよいペット用サークルを提供することが可能になる。
【発明を実施するための最良の形態】
【００１７】
以下、本発明の一実施形態について、図面を参照して説明する。
【００１８】
図１には、本実施形態のペット用サークル１の全体が示されている。
【００１９】
このペット用サークル１は、正面パネル２ａと背面パネル２ｂと左右の側面パネル２ｃ，２ｄの各側辺が互いに連結された周壁パネル２の上面開口部に連結具を介して天面パネル３が着脱自在に取り付けられたものである。
【００２０】
なお、周壁パネル２の下部には、トレーＡが取り付けられているが、このトレーＡを取り付けるのは任意である。
【００２１】
これらの各パネル２ａ，２ｂ，２ｃ，２ｄ，３は、線状部材、例えば鉄線材により格子状に形成されている。
【００２２】
周壁パネル２は、正面パネル２ａと背面パネル２ｂと左右の側面パネル２ｃ，２ｄの各側辺が側辺連結具Ｂを介して連結されている。この側辺連結具Ｂは、周壁パネル２の隣り合う各側辺を構成する線状部材がそれぞれ嵌めこまれるように形成されたものである。
【００２３】
また、天面パネル３の外周縁には、線状部材を屈曲して形成された掛け止め部Ｃが設けられており、天面パネル３を周壁パネル２に引っ掛けて係止されるようになされている。そして、正面パネル２ａには、ペットの出入り口が開口されているとともに、この開口を開閉する扉Ｄが取り付けられている。なお、周壁パネル２の下端縁の四隅は、この四隅にそれぞれ対応するコーナー連結具Ｅを介して連結されている。
【００２４】
正面パネル２ａと背面パネル２ｂと左右の側面パネル２ｃ，２ｄの上部には、周壁パネル２の水平方向の線状部材と平行な取付用横桟２１が設けられており、後述する横桟連結具４が取り付けられるように図られている。この取付用横桟２１は、正面パネル２ａと背面パネル２ｂと左右の側面パネル２ｃ，２ｄの縦線材間に架設され、隣り合う縦線材に固着されている。
【００２５】
なお、本実施形態では、正面パネル２ａと背面パネル２ｂに設けられる取付用横桟２１は、それぞれ１箇所ずつであるが、長手方向のサイズが大きいペット用サークルの場合は、取付用横桟２１を正面パネル２ａと背面パネル２ｂのそれぞれ２箇所設けてもよい。一方、サイズの小さいペット用サークルの場合は、左右の側面パネル２ｃ，２ｄには取付用横桟２１を設けなくてもよい。
【００２６】
連結具は、合成樹脂などの可撓性素材で一体成形され、周壁パネル２の取付用横桟２１と天面パネル３の端縁をそれぞれ連結する横桟連結具４と、周壁パネル２の隅部と天面パネル３の隅部をそれぞれ連結する隅部連結具５と、から構成されている。
【００２７】
横桟連結具４は、図２ないし図４に示すように、水平板４１と鉛直板４２とがそれぞれの基端縁で接続された側面逆Ｌ字形状の基部４３と、水平板４１の先端縁に形成された第１フック部４４と、鉛直板４２の先端縁に形成された第２フック部４５と、水平板４１と鉛直板４２の接続部分から鉛直板方向に傾斜して延設された把持部４６とからなっている。
【００２８】
水平板４１の基端部上面には、僅かに凹みが形成された押圧部４７が設けられており、この押圧部４７を使用者が押すことにより、横桟連結具４を装着しやすいようになされている。
【００２９】
なお、この押圧部４７には、例えば「ＰＵＳＨ」の文字が刻設されており、使用者が視認しやすく、また、滑り止めの効果を奏するように図られている。また、上記「ＰＵＳＨ」の文字を光沢仕上げにするとともに、その他の押圧部４７の表面を梨地などのザラツキのある加工を施すことにより、視覚性を一層高めるとともに、滑り止め効果も向上させることができる。
【００３０】
また、把持部４６の内側には、複数本の線状突起４８が形成されており、使用者が摘みやすく、滑り止めの効果も奏するようになされている（図４参照）。
【００３１】
第１フック部４４は、周壁の鉛直板４２方向が開口された筒状に形成されており、この開口から天面パネル３の端縁が嵌め込まれる。
【００３２】
一方、第２フック部４５は、周壁の水平板４１方向が開口された筒状に形成されており、この開口から取付用横桟２１が嵌め込まれる。
【００３３】
隅部連結具５は、図５、図６に示すように、周壁パネル２の隅部に対応して下向きに開口された第１溝５１０が形成された周壁嵌合部５１と、この周壁嵌合部５１に並設され、天面パネル３の隅部に対応して上向きに開口された第２溝５２０が形成された天面嵌合部５２とを備えている。
【００３４】
なお、本実施形態において周壁嵌合部５１と天面嵌合部５２とは横並びに配置されているが、上下に配置されているものであってもよく、本明細書における用語「並設」には上下方向に並べられているものも含むものとする。
【００３５】
また、第１溝５１０および第２溝５２０の内側面には、周壁パネル２の隅部および天面パネル３の隅部を構成する線状部材を係止する係止爪５３が突設されており、これらの隅部に取り付けられた隅部連結具５が外れ難いようになされている。
【００３６】
また、隅部連結具５の下端縁は波状の緩やかなカーブを描くように形成されており、外観上柔らかく優しい感じを与え、意匠的にも優れたものとなっている。
【００３７】
次に、上記構成のペット用サークル１において、天面パネル３を着脱する手順について説明する。
【００３８】
天面パネル３を取り付ける際は、まず、周壁パネル２の四隅にそれぞれ隅部連結具５の周壁嵌合部５１を嵌め込む。
【００３９】
次に、天面パネル３の隅部を各隅部連結具５の天面嵌合部５２に嵌め込み、天面パネル３の隅部を周壁パネル２の隅部にそれぞれ連結する。
【００４０】
隅部連結具５の第１溝および第２溝の内側面には係止爪５３が突設されているので、周壁パネル２の隅部と天面パネル３の隅部とが確実に連結される。したがって、ペット用サークル１の形状を保持することができる。また、周壁パネル２の隅部と天面パネル３の隅部とが確実に連結されるのに伴って、周壁パネル２の隣り合う各パネル２ａ，２ｂ，２ｃ，２ｄの側辺の上端部が確実に固定されることから、これらの側辺間に大きな隙間が生じることが防止され、ペットが隙間に足などを挟んで怪我をするような事故を有効に防止することができる。
【００４１】
次いで、横桟連結具４の第１フック部４４を天面パネル３の端縁に嵌め込み、水平板４１の押圧部４７を下向きに押すことにより、第２フック部４５に取付用横桟２１を引っ掛けて、嵌め込む。
【００４２】
このとき、図４に示すように、天面パネル３の端縁の線状部材３ｘと取付用横桟２１の線状部材２１ｘとが第１フック部４４と第２フック部４５にそれぞれ嵌め込まれ、周壁パネル２の上端縁の線状部材２ｘが横桟連結具４の水平板４１と鉛直板４２の接続部分に位置しているので、横桟連結具４により、天面パネル３と周壁パネル２とが確実に連結される。したがって、ペット用サークル１の内部に収容されたペットが暴れた場合であっても、天面パネル３が不測に外れるおそれがない。
【００４３】
天面パネル３を周壁パネル２から取り外す場合は、横桟連結具４の把持部４６を引き上げると、横桟連結具４が可撓性を有していることから、取付用横桟２１が第２フック部４５から抜脱するので、横桟連結具４を片手で容易に外すことができる。
【００４４】
次いで、隅部連結具５の天面嵌合部５２から天面パネル３の隅部を引き上げて、天面パネル３を周壁パネルから取り外す。隅部連結具５は可撓性素材により形成されていることから、容易に取り外すことができる。
【００４５】
以上、本発明の実施の形態について、一例としての実施例について説明したが、上述した実施例に限られるものではない。
【産業上の利用可能性】
【００４６】
本発明は、正面パネルと背面パネルと左右の側面パネルの各側辺が互いに連結された周壁パネルの上面開口部に連結具を介して天面パネルが着脱自在に取り付けられたペット用サークルにおいて、天面パネルが外れ難く、使い勝手のよいペット用サークルに適用できる。
【図面の簡単な説明】
【００４７】
【図１】本発明に係るペット用サークルの全体を示す斜視図である。
【図２】図１の横桟連結具を取り付けた状態を示す斜視図である。
【図３】図１の横桟連結具を示す斜視図である。
【図４】図１の横桟連結具を取り付けた状態を示す断面図である。
【図５】図１の隅部連結具を取り付けた状態を示す斜視図である。
【図６】図１の隅部連結具を示す斜視図である。
【符号の説明】
【００４８】
１      ペット用サークル
２      周壁パネル
３      天面パネル
４      横桟連結具
４１    水平板
４２    鉛直板
４３    基部
４４    第１フック部
４５    第２フック部
４６    把持部
５      隅部連結具
５１    周壁嵌合部
５１０  第１溝
５２    天面嵌合部
５２０  第２溝
５３    係止爪
【図１】
2008104397.tif 000003
【図２】
2008104397.tif 000004
【図３】
2008104397.tif 000005
【図４】
2008104397.tif 000006
【図５】
2008104397.tif 000007
【図６】
2008104397.tif 000008